(57)【要約】【課題】  太陽電池時計に使用される２次電池をユーザーが間違って１次電池へ組み替えることを防止する。【解決手段】  電池押え板２のフック部２ａと液晶セル支持枠６のフック係合部６ｂとの係合部を覆うように壁部６ａと、鍔部（回路支持板鍔部１ａ、電池支持枠鍔部３ａ）と、遮蔽部材８（液晶セル、ソーラーセル、文字板）とを配置する。これにより、フック部２ａとフック係合部６ｂとの係合部はユーザー側から視認が遮蔽されるため、一見しただけではどのように電池を外せばよいのか解らない状態になっている。【選択図】  図１
2005283504.tif 000002
【特許請求の範囲】
【請求項１】
電池押え板により電池を支持枠上に固定する時計の電池押え構造であって、
少なくとも一端部にフック部を有する電池押え板と、
当該電池押え板と対向する位置に配置され、側面に当該電池押え板のフック部と係合するフック係合部を有すると共に当該フック係合部と対向する位置に壁部を備えた支持枠と、
を有する事を特徴とする時計の電池押え構造。
【請求項２】
前記支持枠の壁部上端部に遮蔽手段を設け、前記電池押え板のフック部と前記支持枠の
フック係合部との係合部を前記電池押え板上方から視認を遮蔽した事を特徴とする請求項１記載の時計の電池押え構造。
【請求項３】
前記遮蔽手段は、前記電池押え板と同一断面方向に配置された回路支持板の一部である事を特徴とする請求項２記載の時計の電池押え構造。
【請求項４】
前記遮蔽手段は、前記支持枠の一部である事を特徴とする請求項２記載の時計の電池押え構造。
【請求項５】
前記遮蔽手段は、前記電池押え板の一部である事を特徴とする請求項２記載の時計の電池押え構造。
【請求項６】
前記支持枠の下面側に遮蔽部材を設け、前記電池押え板のフック部と前記支持枠のフック係合部との係合部を前記支持枠下方から視認を遮蔽した事を特徴とする請求項１〜５のいずれか１つに記載の時計の電池押え構造。
【請求項７】
前記遮蔽部材は、液晶セル、ソーラーセル、文字板のいずれかである事を特徴とする請求項６記載の時計の電池押え構造。
【請求項８】
前記遮蔽部材は、前記支持枠の壁部外周面に設けられたフック部と係合するフック係合部を少なくとも一端部に有する遮蔽部材押え板にて、前記支持枠下面に固定されている事を特徴とする請求項６、又は７記載の時計の電池押え構造。
【発明の詳細な説明】
【技術分野】
【０００１】
本発明は、時計の電池押え構造に関するものである。
【背景技術】
【０００２】
従来より、電池を時計モジュールに固定する方法として電池押え板を用いたものが知られている。図４は、従来の時計の電池押え構造を示す要部拡大断面図である。電池２３は、電池の位置決めを行う電池支持枠２２へ挿入されており、電池２３上面側に配置された電池押え板２１により電池支持枠２２側に押圧固定されている。電池押え板２１の一端部は、電池２３の平面方向とは垂直な方向に折り曲げられた形状を有しており、その先端部にはフック部２１ａが設けられている。電池押え板のフック部２１ａは、電池支持枠２２側面に設けられたフック係合部２２ａに係合しており、これにより電池押え板２１の電池支持枠２２への固定がなされている。この図では、フック部の係合により電池押え板を電池支持枠２２に固定する構造であるが、この他の方法として電池押え板２１を電池支持枠２２にネジ止めする構造も有る。
【０００３】
また、電池支持枠２２の下面側には、時計を駆動させる為の発振を行う複合回路２４が配置され、更に複合回路２４の下面側には液晶セル２５等を支える液晶セル支持枠２６が配置されている。そして、これらの構成部品２１〜２６全体は、外周側に配置された外装２７と、上方に配置された裏蓋２８とにより保護され、１つの完成した時計として構成されている。（例えば、特許文献１参照）
【０００４】
電池２３を取り外す際には、まず裏蓋２８を取り外し、それにより視認された電池押え板２１のフック部２１ａを電池支持枠２２のフック係合部２２ａから工具等を用いて取り外す。この行為は、時計に精通した者でなくとも容易に行えるものである。
【特許文献１】特開平１０−６２５６８号公報
【発明の開示】
【発明が解決しようとする課題】
【０００５】
近年増加傾向にある太陽電池時計においては充放電が可能な蓄電池（２次電池）が使用される。この蓄電池は電池交換が不要であり、通常、ユーザーが電池を時計モジュールから取り外す必要は無い。しかし、太陽電池による発電が長期に渡り行われず、蓄電池の電圧が低下した際には指針が停止状態なるため（アナログ時計においては）、ユーザーによっては１次電池を用いた時計と同様に電池が終わったものだと勘違いをして、自分で電池を交換しようとする。その際、間違って２次電池を１次電池に交換してしまうと、充電機能の無い１次電池に充電をする事となり、１次電池の破損等が起きて人体に損傷を与える危険性がある。図３に示したような従来の電池押え構造では、このような問題を考慮しておらず、電池交換があることを前提として設計されているので、ユーザーが容易に電池を取り外せてしまう。本発明は、このような問題点に鑑みてなされたものであり、ユーザーが容易に電池を取り外すことのできない電池押え構造を提供し、ユーザーが２次電池を間違って１次電池へ組み替えてしまうことを防止しようとするものである。
【課題を解決するための手段】
【０００６】
電池押え板により電池を支持枠上に固定する時計の電池押え構造であって、
少なくとも一端部にフック部を有する電池押え板と、
当該電池押え板と対向する位置に配置され、側面に当該電池押え板のフック部と係合するフック係合部を有すると共に当該フック係合部と対向する位置に壁部を備えた支持枠と、
を有する時計の電池押え構造とする。
【０００７】
前記支持枠の壁部上端部に遮蔽手段を設け、前記電池押え板のフック部と前記支持枠の
フック係合部との係合部を前記電池押え板上方から視認を遮蔽した時計の電池押え構造とする。
【０００８】
前記遮蔽手段は、前記電池押え板と同一断面方向に配置された回路支持板の一部である時計の電池押え構造とする。
【０００９】
前記遮蔽手段は、前記支持枠の一部である時計の電池押え構造とする。
【００１０】
前記遮蔽手段は、前記電池押え板の一部である時計の電池押え構造とする。
【００１１】
前記支持枠の下面側に遮蔽部材を設け、前記電池押え板のフック部と前記支持枠のフック係合部との係合部を前記支持枠下方から視認を遮蔽した時計の電池押え構造とする。
【００１２】
前記遮蔽部材は、液晶セル、ソーラーセル、文字板のいずれかである時計の電池押え構造とする。
【００１３】
前記遮蔽部材は、前記支持枠の壁部外周面に設けられたフック部と係合するフック係合部を少なくとも一端部に有する遮蔽部材押え板にて、前記支持枠下面に固定されている時計の電池押え構造とする。
【発明の効果】
【００１４】
本発明によれば、充電不足により２次電池の電圧が低下して時計が停止状態となった時に、ユーザーが１次電池の時計と勘違いをして裏蓋を外して電池の交換を行おうとしたとしても、従来の電池押え構造のように一見しただけでは電池の取り外し方が分からず、簡単に電池を取り外すことが出来ない為、２次電池を誤って１次電池に組み替えてしまうのを防止することができる。
【発明を実施するための最良の形態】
【００１５】
図１は本発明の一実施例を示す図で、（ａ）は要部拡大断面図、（ｂ）は（ａ）のＡ部拡大図である。また、図２は本発明の一実施例を示す上面図である。電池４は電池の位置決めを行う電池支持枠３へ挿入されている。電池４は、その上面側に配置された電池押え板２により、電池支持枠３の底部３ｂと、時計を駆動させる為の発振を行う複合回路５とを介して、液晶セル支持枠６の上面側に押圧固定されている。電池押え板２は、端部にフック部２ａを有しており（本実施例では２箇所）、このフック部２ａと液晶セル支持枠６の側面に設けられたフック係合部６ｂとが係合することにより、電池押え板２が液晶セル支持枠６に固定される構造となっている。従来では、電池支持枠２２の側面に設けられフック係合部２２ａに電池押え板２１のフック部２１ａが係合することにより電池２３が固定される構造であったのに対し、本発明では、液晶セル支持枠６の側面に設けられたフック係合部６ｂに電池押え板２のフック部２ａが係合する構造となっており、従来よりも電池押え板２のフック部２ａが時計モジュールの深部に入り込んだ状態となっている。
【００１６】
液晶セル支持枠６は、側面に設けられたフック係合部６ｂと対向する位置に壁部６ａを有しており、電池押え板２のフック部２ａと液晶セル支持枠６のフック係合部６ｂとの係合部を、この壁部６ａにより横方向からの視認を遮蔽すると共に、電池押え板２のフック部２ａを上方から直接取り外すのを困難にするようになっている。更に、電池支持枠６の壁部６ａ上端部には、回路支持板１、電池支持枠３、電池押え板２のうち、いずれか１つにより鍔部（本実施例では、回路支持板鍔部１ａ、電池支持枠鍔部３ａの２つ）が形成されている。電池押え板２のフック部２ａと電池支持枠６のフック係合部６ｂとの係合部は、この鍔部１ａ、３ａにより電池押え板２上方からの視認が遮蔽されると共に、当該係合部を電池押え板２上方から外す行為は出来なくなっている。
【００１７】
尚、電池押え板２を用いて鍔部を形成する場合には、例えば、電池押え板２のフック部２ａと電池支持枠６のフック係合部６ｂとの係合部上方を遮蔽するように、電池押え板２の一部を迫り出した形状にすればよい。
【００１８】
また、液晶セル支持枠６の下面には遮蔽部材８が設けられており、電池押え板２のフック部２ａと液晶セル支持枠６のフック係合部６ｂとの係合部は、この遮蔽部材８により液晶セル支持枠６下方からの視認が遮蔽されている。この遮蔽部材８は、新たに別部材として設けてもよいが、部品点数を増やさない意味では液晶セル７、ソーラーセル（不図示）、文字板（不図示）のうち、いずれか１つとして構成するのが望ましい。遮蔽部材８は、遮蔽部材押え板９により液晶セル支持枠６下面に押圧固定される。遮蔽部材押え板９の端部にはフック部９ａが設けられており（本実施例では２箇所）、液晶セル支持枠６の壁部６ａ外周面に設けられたフック係合部６ｃに係合している。これにより、遮蔽部材押え板９が液晶セル支持枠６に固定される。
【００１９】
図３は、遮蔽部材８として液晶セル７を用いた構成を示す要部拡大断面図であり、遮蔽部材８として液晶セル７を用いる場合には、図に示すように液晶セル７の少なくとも一端部を迫り出すように配置して、電池押え板２のフック部２ａと液晶セル支持枠６のフック係合部６ｂとの係合部を下方から遮蔽するようにする。一方、遮蔽部材８としてソーラーセル、もしくは文字板を用いる場合には、図１（ａ）に示す遮蔽部材８をそのままソーラーセル、もしくは文字板に置き換えた構成となる。
【００２０】
尚、本実施例では、遮蔽部材押え板９のフック部９ａと係合するフック係合部６ｃを液晶セル支持枠６の壁部６ａ外周面に設けたが、例えば電池支持枠３の外周面に設けてもよく、これらに限定されるものではない。
【００２１】
以上説明したようにして、それぞれの構成部品が組み込まれることにより時計モジュールが構成されている。時計モジュールの外周側には外装１０が配置されて時計モジュールが外部より保護され、更に外装１０の上方に裏蓋１１が配置されることにより１つの完成した時計として構成されている。
【００２２】
電池４を取り外す際には、まず裏蓋１１を取り外して時計モジュールを外装１０から取り出す。その後、遮蔽部材押え板９のフック部９ａと壁部６ａのフック係合部６ｃとの係合を外して遮蔽部材押え板９を液晶セル支持枠６から取り外し、続いて遮蔽部材８を取り外す。そして、遮蔽部材８を取り外すことで視認された電池押え板２のフック部２ａと液晶セル支持枠６のフック係合部６ｂとの係合部を外すことで、初めて電池４を時計モジュールから取り出すことが可能となる。
【００２３】
以上の説明では、本発明を液晶セル支持枠６の壁部６ａと、鍔部（回路支持板鍔部１ａ、電池支持枠鍔部３ａ）と、液晶セル支持枠６下面の遮蔽部材８（液晶セル７、ソーラーセル、文字板）とを備える実施形態としたが、必ずしもこれら全ての構成を備えている必要はない。しかし、ユーザーによる電池の取り外しを防止するという目的を十分達成するためには、以上説明したような構成を全て備えているのが望ましい。
【００２４】
また、図１（ｂ）に示すように、鍔部（回路支持板鍔部１ａ、電池支持枠鍔部３ａ）と電池押え板２との隙間Ｂは、電池押え板２の着脱性向上の為に必要なものであるが、電池押え板２のフック部２ａと液晶セル支持枠６のフック係合部６ｂとの係合部を遮蔽するという意味では、隙間Ｂを最小限にするのが望ましい。
【図面の簡単な説明】
【００２５】
【図１】本発明の一実施例を示す図で、（ａ）は要部拡大断面図、（ｂ）は（ａ）のＡ部拡大図
【図２】本発明の一実施例を示す上面図
【図３】遮蔽部材として液晶セルを用いた構成を示す要部拡大断面図
【図４】従来の時計の電池押え構造を示す要部拡大断面図
【符号の説明】
【００２６】
１    回路支持板
１ａ  回路支持板鍔部
２    電池押え板
２ａ  フック部
３    電池支持枠
３ａ  電池支持枠鍔部
３ｂ  電池支持枠の底部
４    電池
５    複合回路
６    液晶セル支持枠
６ａ  液晶セル支持枠の壁部
６ｂ  フック係合部
６ｃ  フック係合部
７    液晶セル
８    遮蔽部材
９    遮蔽部材押え板
９ａ  フック部
１０  外装
１１  裏蓋
２１    電池押え板
２１ａ  フック部  
２２    電池支持枠
２２ａ  フック係合部
２３    電池
２４    複合回路
２５    液晶セル
２６    液晶セル支持枠
２７    外装
２８    裏蓋
【図１】
2005283504.tif 000003
【図２】
2005283504.tif 000004
【図３】
2005283504.tif 000005
【図４】
2005283504.tif 000006